(57)【要約】【課題】日射の影響による室温の上昇を効果的に抑制し、各部屋の室温を効率的に平準化する。【解決手段】データ取得部２００は、複数の部屋の各室温を取得する。モード切替部２０２は、複数の部屋の内の予め選択された１又は複数の部屋の何れかの室温が、第１上限温度を超えている場合、空調機の運転モードを暖房モードから送風モードに切り替える。送風量調整部２０３は、モード切替部２０２により空調機が送風モードに切り替わる際、複数の部屋の各室温に基づいて、空調機による各部屋への送風量を調整する。【選択図】図７
2019196885.tif 000002
【特許請求の範囲】
【請求項１】
空気を分配供給して複数の部屋の空調を行う空調機を制御する制御装置であって、
前記複数の部屋の各室温を取得する室温取得手段と、
前記複数の部屋の内の予め選択された１又は複数の部屋の何れかの室温が、第１上限温度を超えている場合、前記空調機の運転モードを暖房モードから送風モードに切り替えるモード切替手段と、
前記モード切替手段により前記空調機が前記送風モードに切り替わる際、前記複数の部屋の各室温に基づいて、前記空調機による各部屋への送風量を調整する風量調整手段と、を備える、制御装置。
【請求項２】
前記風量調整手段は、前記複数の部屋の各室温を、温度が高い第１グループ、温度が低い第２グループ及び温度が高くもなく低くもない第３グループに分類し、前記第１グループ又は前記第２グループに属する室温の部屋への送風量を、前記第３グループに属する室温の部屋への送風量より多くする、請求項１に記載の制御装置。
【請求項３】
前記モード切替手段は、在宅者が居なく、且つ、現在の前記空調機の消費電力が送風モード時における前記空調機の消費電力よりも小さい場合、前記運転モードを前記送風モードに切り替えない、請求項１又は２に記載の制御装置。
【請求項４】
前記モード切替手段は、前記選択された１又は複数の部屋の何れにも在室者が居なく、且つ、現在の前記空調機の消費電力が送風モード時における前記空調機の消費電力よりも小さい場合、前記運転モードを前記送風モードに切り替えない、請求項１又は２に記載の制御装置。
【請求項５】
前記選択された１又は複数の部屋の何れかの室温が、前記第１上限温度より高い第２上限温度を超えている場合、当該室温の部屋に対応する日射遮蔽装置に対して、日射遮蔽を指示する日射遮蔽指示手段をさらに備える、請求項１から４の何れか１項に記載の制御装置。
【請求項６】
前記日射遮蔽指示手段は、在室者が居ない部屋の前記日射遮蔽装置に対して、日射遮蔽を指示しない、請求項５に記載の制御装置。
【請求項７】
空気を分配供給して複数の部屋の空調を行う空調機であって、
前記複数の部屋の各室温を計測する室温計測手段と、
前記複数の部屋の内の予め選択された１又は複数の部屋の何れかの室温が、第１上限温度を超えている場合、運転モードを暖房モードから送風モードに切り替えるモード切替手段と、
前記モード切替手段により前記送風モードに切り替わる際、前記複数の部屋の各室温に基づいて、各部屋への送風量を調整する風量調整手段と、を備える、空調機。
【請求項８】
空気を分配供給して複数の部屋の空調を行う空調機と、
前記空調機を制御する請求項１から６の何れか１項に記載の制御装置と、を備える、空調システム。
【請求項９】
空気を分配供給して複数の部屋の空調を行う空調機を制御する方法であって、
室温取得手段が、前記複数の部屋の各室温を取得し、
モード切替手段が、前記複数の部屋の内の予め選択された１又は複数の部屋の何れかの室温が、第１上限温度を超えている場合、前記空調機の運転モードを暖房モードから送風モードに切り替え、
風量調整手段が、前記モード切替手段により前記空調機が前記送風モードに切り替わる際、前記複数の部屋の各室温に基づいて、前記空調機による各部屋への送風量を調整する、空調機制御方法。
【請求項１０】
空気を分配供給して複数の部屋の空調を行う空調機を制御するコンピュータを、
前記複数の部屋の各室温を取得する室温取得手段、
前記複数の部屋の内の予め選択された１又は複数の部屋の何れかの室温が、第１上限温度を超えている場合、前記空調機の運転モードを暖房モードから送風モードに切り替えるモード切替手段、
前記モード切替手段により前記空調機が前記送風モードに切り替わる際、前記複数の部屋の各室温に基づいて、前記空調機による各部屋への送風量を調整する風量調整手段、として機能させる、プログラム。
【発明の詳細な説明】
【技術分野】
【０００１】
本発明は、制御装置、空調機、空調システム、空調機制御方法及びプログラムに関する。
【背景技術】
【０００２】
近年、住宅の高断熱化、高気密化が進み、空調に要するエネルギーが減少傾向にあり、居住環境に対して、より快適に、そして、健康的に生活するための要望が高まっている。
【０００３】
このような要望に応えるため、２４時間連続で住宅内全体を自動的に空調する、いわゆる全館空調システムと呼ばれる空調システムが採用されるケースが増えており、これに関連する技術も種々提案されている（例えば、特許文献１，２）。
【先行技術文献】
【特許文献】
【０００４】
【特許文献１】特開平９−７９６４８号公報
【特許文献２】特開２００２−２５７３９９号公報
【発明の概要】
【発明が解決しようとする課題】
【０００５】
従来、全館空調システムの暖房運転時においては、日射が入る部屋では、日射の影響により室温が上昇し、設定された目標温度を大きく上回ってしまい、部屋間の室温のばらつきが顕著となる問題が知られている。このように、室温が大きく上昇してしまうと、ユーザによる窓開け、日射遮蔽行為を招き、暖房エネルギーの無用な増加を招くことになる。
【０００６】
したがって、全館空調システムにおいて、日射の影響による室温の上昇を効果的に抑制し、各部屋の室温の平準化を効率的に行うことが要請されるものの、そのような技術に関し、未だ有意な提案がなされていないのが実情である。
【０００７】
本発明は、上記実情に鑑みてなされたものであり、日射の影響による室温の上昇を効果的に抑制し、各部屋の室温の平準化を効率的に行うことが可能な制御装置等を提供することを目的とする。
【課題を解決するための手段】
【０００８】
上記目的を達成するため、本発明に係る制御装置は、
空気を分配供給して複数の部屋の空調を行う空調機を制御する制御装置であって、
前記複数の部屋の各室温を取得する室温取得手段と、
前記複数の部屋の内の予め選択された１又は複数の部屋の何れかの室温が、第１上限温度を超えている場合、前記空調機の運転モードを暖房モードから送風モードに切り替えるモード切替手段と、
前記モード切替手段により前記空調機が前記送風モードに切り替わる際、前記複数の部屋の各室温に基づいて、前記空調機による各部屋への送風量を調整する風量調整手段と、を備える。
【発明の効果】
【０００９】
本発明によれば、日射の影響による室温の上昇を効果的に抑制し、各部屋の室温を効率的に平準化することが可能となる。
【図面の簡単な説明】
【００１０】
【図１】本発明の実施の形態１に係る空調システムを包含したエネルギー管理システムの全体構成を示す図
【図２】実施の形態１の空調システムが備える空調機及び日射遮蔽装置について説明するための図
【図３】実施の形態１の空調機が備える室内ユニットの構成を示すブロック図
【図４】実施の形態１の空調機が備える室外ユニットの構成を示すブロック図
【図５】実施の形態１の空調機が備える空調リモコンの構成を示すブロック図
【図６】実施の形態１の制御装置の構成を示すブロック図
【図７】実施の形態１の制御装置の機能構成を示す図
【図８】実施の形態１の空調機制御処理の手順を示すフローチャート
【図９】本発明の実施の形態２に係る制御装置の機能構成を示す図
【図１０】実施の形態２の日射遮蔽制御処理の手順を示すフローチャート
【図１１】実施の形態２における空調機制御処理及び日射遮蔽制御処理の効果を説明するための図
【図１２】本発明の実施の形態３に係る空調システムを包含したエネルギー管理システムの全体構成を示す図
【図１３】実施の形態３のクラウドサーバの構成を示すブロック図
【図１４】本発明の他の実施の形態において、空調機が供給する空気の送風量について説明するための図
【発明を実施するための形態】
【００１１】
以下、本発明の実施の形態について図面を参照して詳細に説明する。
【００１２】
実施の形態１．
図１は、実施の形態１に係る空調システムを包含したエネルギー管理システム１の全体構成を示す図である。このエネルギー管理システム１は、一般家庭で使用される電力の管理を行う、いわゆる、ＨＥＭＳ（Home Energy Management System）と呼ばれるシステムである。エネルギー管理システム１は、制御装置２と、操作端末３と、電力計測装置４と、発電設備５と、空調機６と、日射遮蔽装置７ａ〜７ｄと、照明器８ａ〜８ｅとを備える。
【００１３】
制御装置２は、本発明に係る制御装置の一例である。制御装置２は、家屋Ｈ内の適切な場所に設置され、エネルギー管理システム１を統括的に制御する。制御装置２の詳細については後述する。
【００１４】
操作端末３は、押しボタン、タッチパネル、タッチパッド等の入力デバイスと、有機ＥＬディスプレイ、液晶ディスプレイ等の表示デバイスと、通信インタフェースとを備えた、例えば、スマートフォン、タブレット端末等のスマートデバイスである。操作端末３は、制御装置２と、Ｗｉ−Ｆｉ（登録商標）、Ｗｉ−ＳＵＮ（登録商標）、有線ＬＡＮ等の周知の通信規格に則った通信を行う。操作端末３は、ユーザからの操作を受け付け、受け付けた操作内容を示す情報を制御装置２に送信する。また、操作端末３は、制御装置２から送信された、ユーザに提示するための情報を受信し、受信した情報を表示する。このように、操作端末３は、ユーザとのインタフェース（いわゆる、ユーザインタフェース）としての役割を担う。
【００１５】
電力計測装置４は、家屋Ｈに配設された電力線ＰＬ１〜ＰＬ３のそれぞれを介して送電される電力を計測する。電力線ＰＬ１は、商用電力系統９と分電盤１０との間に配設され、電力線ＰＬ２は、発電設備５と分電盤１０との間に配設され、電力線ＰＬ３は、分電盤１０と空調機６との間に配設される。電力計測装置４は、電力線ＰＬ１〜ＰＬ３にそれぞれ接続されたＣＴ（Current Transformer）１〜ＣＴ３の各々と通信線を介して接続される。ＣＴ１〜ＣＴ３は、交流電流を計測するセンサである。
【００１６】
電力計測装置４は、ＣＴ１の計測結果に基づいて、電力線ＰＬ１における電力、換言すると、この家庭における買電電力又は売電電力を計測する。また、電力計測装置４は、ＣＴ２の計測結果に基づいて、電力線ＰＬ２における電力、即ち、発電設備５から出力される電力（以下、発電電力と称する。）を計測する。また、電力計測装置４は、ＣＴ３の計測結果に基づいて、電力線ＰＬ３における電力、即ち、空調機６の消費電力を計測する。
【００１７】
上記の買電電力とは、商用電力系統９から供給された電力、即ち、電気事業者から買った電力をいう。また、売電電力とは、逆潮電力として商用電力系統９へ供給した電力、即ち、電気事業者に売った電力をいう。家屋Ｈの需要家は、発電電力が、家屋Ｈで消費される電力、即ち、家屋Ｈの総消費電力を超えた場合に、規定の条件を満たすことで、発電電力の内の余剰分の電力を電気事業者に売ることが可能となる。なお、家屋Ｈの総消費電力は、買電時では、買電電力と発電電力を加算することで算出でき、売電時では、発電電力から売電電力を差し引くことで算出できる。
【００１８】
また、電力計測装置４は、無線通信インタフェースを備え、家屋Ｈに構築された無線ネットワーク（以下、宅内ネットワークという。）を介して、制御装置２と通信可能に接続される。宅内ネットワークは、例えば、エコーネットライト（ECHONET Lite）に準じたネットワークである。なお、電力計測装置４は、外付けの通信アダプタ（図示せず）を介して、宅内ネットワークに接続されてもよい。
【００１９】
電力計測装置４は、制御装置２からの要求に応答して、自装置の機器ＩＤ（identification）と、現在時刻（計測時刻を意味する。）と、買電電力又は売電電力の計測値と、発電電力の計測値と、空調機の消費電力の計測値とが格納された電力データを制御装置２に送信する。機器ＩＤは、電力計測装置４、空調機６、日射遮蔽装置７（７ａ〜７ｄ）、照明器８（８ａ〜８ｅ）を識別するためのＩＤである。なお、電力計測装置４によって制御装置２に送信される各計測値は、電力（ワット）の単位で表されるものであってもよいし、電力を予め設定された時間に亘って積算した電力量の単位で表されるものであってもよい。また、電力計測装置４は、電力データを自発的に一定の時間間隔（例えば、１分間隔）で制御装置２に送信してもよい。
【００２０】
発電設備５は、ＰＶ（photovoltaic）パネル５０と、パワーコンディショニングシステムであるＰＶ−ＰＣＳ５１とを備えた太陽光発電設備である。ＰＶパネル５０は、家屋Ｈの屋根の上に設置され、太陽光エネルギーを電気エネルギーに変換することで発電する。ＰＶ−ＰＣＳ５１は、ＰＶパネル５０の発電により生じた直流電力を交流電力に変換することで、上記の発電電力を生成し、電力線ＰＬ２を介して分電盤１０に供給する。
【００２１】
空調機６は、本発明に係る空調機の一例であり、家屋Ｈの屋内の空調、即ち、空気温度及び／又は湿度の調整を行う。空調機６は、分電盤１０により分岐された電力線ＰＬ３を介して、商用電力系統９及び発電設備５と電気的に接続されており、商用電力系統９又は発電設備５の何れか一方、あるいは、これらの双方から電力を得て動作する。
【００２２】
空調機６は、図２に示すように、室内ユニット６０と、室外ユニット６１と、ダクト６２と、ＶＡＶ６３ａ〜６３ｅと、空調リモコン６４ａ〜６４ｅとを備える。空調機６は、空気を部屋Ａ〜Ｅに分配供給することで、部屋Ａ〜Ｅの空調を行う。
【００２３】
室内ユニット６０と室外ユニット６１は、通信線６５を介して相互に通信可能となるように接続されると共に、冷媒を循環させるための冷媒配管６６によっても接続されている。室内ユニット６０は、図３に示すように、ファン６００と、熱交換器６０１と、温度センサ６０２と、制御基板６０３とを備える。ファン６００は、例えば、シロッコファンであり、当該室内ユニット６０が設置された場所の空気を図示しない吸込口から取り込むと共に、図示しない供給口に接続されたダクト６２に、熱交換器６０１によって熱交換された空気を供給する。ファン６００は、制御基板６０３と通信線６０４を介して通信可能に接続される。ファン６００の回転数、即ち、ファン６００による送風量は、制御基板６０３からの指令に従って調整される。
【００２４】
熱交換器６０１は、ファン６００により取り込まれた空気と室外ユニット６１からの冷媒との熱交換を行う。熱交換器６０１は、冷房運転時においては、蒸発器として機能し、暖房運転時においては、凝縮器として機能する。
【００２５】
温度センサ６０２は、ファン６００により取り込まれた空気の温度を計測する。温度センサ６０２は、通信線６０５を介して制御基板６０３と通信可能に接続される。温度センサ６０２は、制御基板６０３からの要求に応答して、計測した温度を示すデータを制御基板６０３に送信する。
【００２６】
制御基板６０３は、プロセッサ、ＲＯＭ（Read Only Memory）、ＲＡＭ（Random Access Memory）、通信インタフェース、読み書き可能な不揮発性の半導体メモリなど（何れも図示せず）を含んで構成される。制御基板６０３は、上記したように通信線６０４を介してファン６００と通信可能に接続され、また、通信線６０５を介して温度センサ６０２と通信可能に接続される。また、制御基板６０３は、空調リモコン６４ａ〜６４ｅと有線又は無線にて通信可能に接続される。さらに、制御基板６０３は、上述した宅内ネットワークを介して制御装置２と通信可能に接続される。
【００２７】
制御基板６０３は、一定時間間隔（例えば、１分間隔）で、空調リモコン６４ａ〜６４ｅのそれぞれから、部屋Ａ〜Ｅの各室温と、各送風量とを通信により取得する。制御基板６０３は、取得した部屋Ａ〜Ｅの各送風量に基づいてファン６００の送風量を決定する。制御基板６０３は、決定したファン６００の送風量を通信線６５を介して室外ユニット６１に通知する。
【００２８】
また、制御基板６０３は、制御装置２からの要求に応答して、現在の運転モード（冷房モード、暖房モード又は送風モード）と、部屋Ａ〜Ｅの各室温を含むデータ（以下、空調状態データという。）を制御装置２に送信する。
【００２９】
室外ユニット６１は、図４に示すように、冷媒回路６１０と、制御基板６１１とを備える。冷媒回路６１０と制御基板６１１は、通信線６１２を介して通信可能に接続される。冷媒回路６１０は、何れも図示しないが、圧縮機、凝縮器、膨張弁、蒸発器などを備える。制御基板６１１は、室内ユニット６０と通信線６５を介して通信可能に接続される。制御基板６１１は、プロセッサ、ＲＯＭ、ＲＡＭ、通信インタフェース、読み書き可能な不揮発性の半導体メモリなど（何れも図示せず）を含んで構成される。制御基板６１１は、室内ユニット６０の制御基板６０３から通知されたファン６００の送風量に基づいて、冷媒回路６１０の運転、より詳細には、圧縮機の駆動を制御する。
【００３０】
なお、本実施の形態の空調機６は、冷房運転時（即ち、冷房モード時）及び暖房運転時（即ち、暖房モード時）において、それぞれ予め定めた温度の空気を供給する。つまり、部屋Ａ〜Ｅの室温は、部屋Ａ〜Ｅへの送風量、即ち、ＶＡＶ６３ａ〜６３ｅによって調整される。本実施の形態では、部屋Ａ〜Ｅの送風量は、“大”、“中”及び“小”の３段階で調整される。送風量が多い順に、“大”、“中”、“小”となる。
【００３１】
図２に戻り、ダクト６２は、室内ユニット６０から供給される空気を部屋Ａ〜Ｅへ導くために複数の分岐路に枝分かれしている。各分岐路の末端は、部屋Ａ〜Ｅの天井に設けられた空気吹出口に連結されている。また、ダクト６２には、各分岐路に対応してＶＡＶ（Variable Air Volume）６３ａ〜６３ｅが設けられている。ＶＡＶ６３ａ〜６３ｅは、それぞれ対応する部屋Ａ〜Ｅの空調リモコン６４ａ〜６４ｅと有線又は無線にて通信可能に接続される。ＶＡＶ６３ａ〜６３ｅは、対応する空調リモコン６４ａ〜６４ｅにより制御される。以下、ＶＡＶ６３ａ〜６３ｅにて共通する説明については、特に個々を指定せずにＶＡＶ６３と表記する。
【００３２】
空調リモコン６４ａ〜６４ｅは、それぞれ部屋Ａ〜Ｅの壁に埋設して設置されたり、あるいは壁に掛けられた態様で設置され、部屋Ａ〜Ｅを利用するユーザから、空調に係る操作を個別に受け付けるためのリモートコントローラである。以下、空調リモコン６４ａ〜６４ｅにて共通する説明については、特に個々を指定せずに空調リモコン６４と表記する。
【００３３】
空調リモコン６４は、図５に示すように、温度センサ６４０と、ディスプレイ６４１と、操作受付部６４２と、通信インタフェース６４３と、プロセッサ６４４と、ＲＯＭ６４５と、ＲＡＭ６４６と、二次記憶装置６４７とを備える。これらの構成部は、バス６４８を介して相互に接続される。温度センサ６４０は、本発明に係る室温計測手段の一例であり、室温、即ち、当該空調リモコン６４が設置された部屋の空気温度を計測する。
【００３４】
ディスプレイ６４１は、液晶ディスプレイ、有機ＥＬディスプレイ等の表示デバイスを含んで構成される。ディスプレイ６４１は、プロセッサ６４４の制御の下、ユーザから空調に関する操作を受け付けるための操作画面と、現在の室温、湿度等のモニタ画面とを表示する。
【００３５】
操作受付部６４２は、押しボタン、タッチパネル、タッチパッド等の入力デバイスを備え、ユーザからの入力操作を受け付け、受け付けた入力操作に係る信号をプロセッサ６４４に送出する。
【００３６】
通信インタフェース６４３は、室内ユニット６０と有線又は無線にて通信可能に接続され、室内ユニット６０（詳細には、制御基板６０３）とデータ通信を行うインタフェースを備える。さらに、通信インタフェース６４３は、対応するＶＡＶ６３と有線又は無線にて通信可能に接続され、当該ＶＡＶ６３に制御信号を送信するためのインタフェースを備える。
【００３７】
プロセッサ６４４は、当該空調リモコン６４を統括的に制御する。ＲＯＭ６４５は、複数のファームウェアとこれらのファームウェアの実行時に使用されるデータを記憶する。ＲＡＭ６４６は、プロセッサ６４４の作業領域として使用される。
【００３８】
二次記憶装置６４７は、ＥＥＰＲＯＭ（Electrically Erasable Programmable Read-Only Memory）、フラッシュメモリ等の読み書き可能な不揮発性の半導体メモリを含んで構成される。二次記憶装置６４７には、対応する部屋の空調に係るプログラムを含む各種のプログラムと、これらのプログラムの実行時に使用されるデータとが記憶される。
【００３９】
以上のように構成される空調リモコン６４は、室内ユニット６０からの要求に応答して、対応する部屋の現在の室温と、送風量とが格納されたデータを室内ユニット６０に送信する。また、空調リモコン６４は、ユーザから目標温度の変更操作を受け付けると、当該部屋の室温が、変更後の目標温度となるように送風量を決定する。そして、空調リモコン６４は、決定した送風量に応じた制御信号を生成し、対応するＶＡＶ６３に送信する。また、空調リモコン６４は、上記の変更操作を受け付けた場合には、自発的に上記のデータを室内ユニット６０に送信する。
【００４０】
日射遮蔽装置７ａ〜７ｄは、本発明に係る日射遮蔽装置の一例である。日射遮蔽装置７ａ〜７ｄは、それぞれ、部屋Ａ〜Ｄに設けられた図示しない窓を屋外側から覆うように設置され、当該窓を介して入射する日射を遮るための装置であり、例えば、外付けの電動ブラインドである。日射遮蔽装置７ａ〜７ｄは、それぞれ、分電盤１０に接続される電力線ＰＬ４ａ〜ＰＬ４ｄを介して電力の供給を受ける。以下、日射遮蔽装置７ａ〜７ｄにて共通する説明については、特に個々を指定せずに日射遮蔽装置７と表記する。
【００４１】
ユーザは、部屋Ａ〜Ｄに設置された図示しない専用のリモコン（以下、ブラインドリモコンという。）を操作して、日射遮蔽装置７を制御することができる。詳細には、ユーザは、ブラインドリモコンを操作して、ルーバ（スラットともいう。）の角度（以下、ルーバ角度という。）の変更を指示したり、又は、ブラインドの収納（即ち、ブラインド全開）を指示することができる。具体的には、ユーザは、ルーバ角度について、０°〜９０°の範囲を１０°単位で指定することができる。ブラインド全開でない、即ち、ブラインドが下りた状態において、ルーバ角度が０°（即ち、ブラインド全閉）の場合、日射の遮蔽率が最も高くなり、９０°の場合、日射の遮蔽率が最も低くなる。これにより、ユーザは、部屋Ａ〜Ｄに入る日射を好みの程度に調整することができる。
【００４２】
また、日射遮蔽装置７は、無線通信インタフェースを備え、上述した宅内ネットワークを介して、制御装置２と通信可能に接続される。なお、日射遮蔽装置７は、外付けの通信アダプタ（図示せず）を介して宅内ネットワークに接続されてもよい。制御装置２は、通信により、日射遮蔽装置７に対して、上記と同様の指示を与えて、日射遮蔽装置７を制御することができる。本実施の形態では、通常時において、日射遮蔽装置７は、予め定めた制御スケジュールに従って制御装置２により制御される。
【００４３】
照明器８ａ〜８ｅは、それぞれ、部屋Ａ〜Ｅの天井に設置され、室内の照明を行う。照明器８ａ〜８ｅは、それぞれ、分電盤１０に接続される電力線ＰＬ５ａ〜ＰＬ５ｅを介して電力の供給を受ける。以下、照明器８ａ〜８ｅにて共通する説明については、特に個々を指定せずに照明器８と表記する。
【００４４】
ユーザは、各部屋に設置された図示しない専用のリモコン（以下、照明リモコンという。）を操作して、所望の照明を照明器８に実行させることができる。また、照明器８は、無線通信インタフェースを備え、上述した宅内ネットワークを介して、制御装置２と通信可能に接続される。制御装置２は、通信により、照明器８を制御することができる。
【００４５】
制御装置２は、図６に示すように、通信インタフェース２０と、プロセッサ２１と、ＲＯＭ２２と、ＲＡＭ２３と、二次記憶装置２４とを備える。これらの構成部は、バス２５を介して相互に接続される。通信インタフェース２０は、上述した宅内ネットワークを介して電力計測装置４、空調機６、日射遮蔽装置７ａ〜７ｄ、照明器８ａ〜８ｅと無線通信するためのネットワークカードと、操作端末３と無線通信又は有線通信するためのネットワークカードとを備える。
【００４６】
プロセッサ２１は、この制御装置２を統括的に制御する。プロセッサ２１によって実現される制御装置２の機能の詳細については後述する。
【００４７】
ＲＯＭ２２は、複数のファームウェア及びこれらのファームウェアの実行時に使用されるデータを記憶する。ＲＡＭ２３は、プロセッサ２１の作業領域として使用される。
【００４８】
二次記憶装置２４は、ＥＥＰＲＯＭ、フラッシュメモリ等の読み書き可能な不揮発性の半導体メモリ又はＨＤＤ（Hard Disk Drive）を含んで構成される。二次記憶装置２４は、家屋Ｈの屋内の空調を行うためのプログラム（以下、空調プログラム）と、この空調プログラムの実行時に使用されるデータを記憶する。この他にも、二次記憶装置２４には、この家庭で消費される電力を管理するための１又は複数のプログラムと、各プログラムの実行時に使用されるデータが記憶される。
【００４９】
以上のように構成されたエネルギー管理システム１は、本発明の実施の形態１に係る空調システムを包含している。実施の形態１に係る空調システムは、制御装置２と、操作端末３と、電力計測装置４と、空調機６とにより構成される。
【００５０】
図７は、制御装置２の機能構成を示す図である。制御装置２は、機能的には、データ取得部２００と、モード切替判定部２０１と、モード切替部２０２と、送風量調整部２０３とを備える。これらの機能部は、プロセッサ２１が二次記憶装置２４に記憶されている上記の空調プログラムを実行することで実現される。
【００５１】
データ取得部２００は、本発明に係る室温取得手段の一例である。データ取得部２００は、予め定めた時間毎（例えば、１分毎）に、電力計測装置４から電力データを取得し、空調機６から空調状態データを取得する。詳細には、データ取得部２００は、電力データを要求する通知（以下、電力要求通知という。）を電力計測装置４に送信し、この電力要求通知に応答して、電力計測装置４から送られてきた電力データを受信して取得する。データ取得部２００は、取得した電力データを二次記憶装置２４に保存する。
【００５２】
また、データ取得部２００は、空調状態データを要求する通知（以下、空調状態要求通知という。）を空調機６に送信し、この空調状態要求通知に応答して、空調機６から送られてきた空調状態データを受信して取得する。データ取得部２００は、取得した空調状態データを受信した時刻と対応付けて二次記憶装置２４に保存する。空調機６から自発的に空調状態データが送られてきた場合も同様に、データ取得部２００は、かかる空調状態データを受信して取得し、取得した空調状態データを受信した時刻と対応付けて二次記憶装置２４に保存する。
【００５３】
モード切替判定部２０１は、空調機６の運転モードを、暖房モードから送風モード又は送風モードから暖房モードへ切り替える必要があるか否かを判定する。以下、モード切替判定部２０１によるモード切替要否の判定について詳細に説明する。モード切替要否の判定に係る処理は、制御装置２が実行する空調機制御処理に包含される。制御装置２は、暖房使用時期（例えば、冬期又は中間期）における毎日の予め定めた時間帯（例えば、６時〜１８時）に周期的に（例えば、１０分毎に）空調機制御処理を実行する。
【００５４】
＜＜現在の運転モードが暖房モードの場合＞＞
モード切替判定部２０１は、先ず、当日の発電設備５による現時刻までの発電量の積算値が、時刻毎（例えば、１０分刻みの時刻毎）に予め定めた規定値以上であるか否かを判定する。発電量の積算値が上記の規定値未満の場合、モード切替判定部２０１は、日射が部屋Ａ〜Ｄに与える影響が少ないとみなし、この周期での空調機制御処理を終了する。
【００５５】
一方、発電量の積算値が、上記の規定値以上である場合、モード切替判定部２０１は、二次記憶装置２４に保存されている最新の空調状態データを読み出し、部屋Ａ〜Ｅの各室温の内の最も高い室温（ＴＲｍａｘ）を取得する。そして、モード切替判定部２０１は、取得したＴＲｍａｘと予め定めた第１上限温度とを比較し、ＴＲｍａｘが第１上限温度を超えている場合、暖房モードから送風モードに切り替える必要があると判定する。
【００５６】
＜＜現在の運転モードが送風モードの場合＞＞
モード切替判定部２０１は、二次記憶装置２４に保存されている最新の空調状態データを読み出し、部屋Ａ〜Ｅの各室温の内の最も低い室温（ＴＲｍｉｎ）を取得する。そして、モード切替判定部２０１は、取得したＴＲｍｉｎと予め定めた第１下限温度とを比較し、ＴＲｍｉｎが第１下限温度より低い場合、送風モードから暖房モードに切り替える必要があると判定する。第１下限温度は、第１上限温度より低い温度である。
【００５７】
以上のようにして、モード切替判定部２０１は、モード切替要否の判定を行う。
【００５８】
モード切替部２０２は、本発明に係るモード切替手段の一例である。モード切替部２０２は、モード切替判定部２０１により暖房モードから送風モードへの切り替えが必要であると判定されると、室内ユニット６０に対して、運転モードの切り替えを要求する通知（以下、モード切替要求通知という。）を送信する。モード切替要求通知には、次の運転モード（この場合は、送風モード）を示す情報が含まれている。
【００５９】
また、モード切替部２０２は、モード切替判定部２０１により送風モードから暖房モードへの切り替えが必要であると判定されると、室内ユニット６０に対して、暖房モードを示す情報が含まれたモード切替要求通知を送信する。
【００６０】
室内ユニット６０は、かかるモード切替要求通知を受信すると、当該モード切替要求通知で示される運転モードを室外ユニット６１に通知する。室外ユニット６１は、室内ユニット６０から通知された運転モードに応じて、冷媒回路６１０の圧縮機を駆動又は停止させる。即ち、室内ユニット６０から通知された運転モードが送風モードを示す場合、室外ユニット６１は、圧縮機を停止させる。一方、室内ユニット６０から通知された運転モードが暖房モードを示す場合、室外ユニット６１は、圧縮機を駆動させる。
【００６１】
送風量調整部２０３は、本発明に係る風量調整手段の一例である。送風量調整部２０３は、モード切替判定部２０１により運転モードの切り替えが必要であると判定されると、各部屋の送風量を、次の運転モードに応じた適切な量となるように調整する。以下、この送風量の調整について詳細に説明する。
【００６２】
＜＜暖房モードから送風モードに切り替わる場合＞＞
送風量調整部２０３は、先ず、各部屋の室温を、「温度が高い」、「温度が低い」及び「その他」の３つのグループに分類する。以下、「温度が高い」グループを第１グループ、「温度が低い」グループを第２グループ、「その他」グループを第３グループと称する。本実施の形態では、送風量調整部２０３は、ＴＲｍａｘである室温を第１グループに分類し、ＴＲｍｉｎである室温を第２グループに分類し、その他の室温を第３グループに分類する。なお、分類の手法に限定はなく、例えば、予め定めた比率に応じて分類してもよいし、標準偏差により分類してもよい。
【００６３】
次に、送風量調整部２０３は、各部屋の送風量を決定する。送風量調整部２０３は、第１グループと第２グループに属する室温に対応する部屋の送風量を“大”に決定し、第３グループに属する室温に対応する部屋の送風量を“小”に決定する。送風量調整部２０３は、決定した各部屋の送風量が格納されたデータを室内ユニット６０に送信する。かかるデータを受信した室内ユニット６０は、各部屋の空調リモコン６４に対して、送風量の調整を指示するデータ（以下、調整指示データ）を送信する。調整指示データには、送風量調整部２０３により決定された当該部屋の送風量が含まれている。各空調リモコン６４は、受信した調整指示データに含まれる送風量となるように、対応するＶＡＶ６３を調整する。なお、送風量調整部２０３は、各部屋の以前の送風量、即ち、暖房モードでの送風量をＲＡＭ２３又は二次記憶装置２４に保存しておく。
【００６４】
＜＜送風モードから暖房モードに切り替わる場合＞＞
送風量調整部２０３は、各部屋の送風量を、ＲＡＭ２３又は二次記憶装置２４に保存されている当該部屋の以前の送風量と同一になるように決定する。送風量調整部２０３は、決定した各部屋の送風量が格納されたデータを室内ユニット６０に送信する。かかるデータを受信した室内ユニット６０は、各部屋の空調リモコン６４に対して調整指示データを送信する。各空調リモコン６４は、受信した調整指示データに含まれる送風量となるように、対応するＶＡＶ６３を調整する。これにより、各部屋の送風量は、直前の暖房モードでの当該部屋の送風量と同一になる。
【００６５】
図８は、制御装置２により実行される空調機制御処理の手順を示すフローチャートである。上述したように、制御装置２は、暖房使用時期（例えば、冬期又は中間期）における毎日の予め定めた時間帯（例えば、６時〜１８時）に周期的に（例えば、１０分毎に）空調機制御処理を実行する。
【００６６】
モード切替判定部２０１は、現在の運転モードが暖房モードである場合（ステップＳ１０１；ＹＥＳ）、当日の発電設備５による現時刻までの発電量の積算値が、現時刻に対応する予め定めた規定値以上であるか否かを判定する（ステップＳ１０２）。
【００６７】
現時刻までの発電量の積算値が規定値未満の場合（ステップＳ１０２；ＮＯ）、モード切替判定部２０１は、この周期での空調機制御処理を終了する。一方、現時刻までの発電量の積算値が規定値以上の場合（ステップＳ１０２；ＹＥＳ）、モード切替判定部２０１は、部屋Ａ〜Ｅの各室温の内の最も高い室温（ＴＲｍａｘ）を取得する（ステップＳ１０３）。
【００６８】
モード切替判定部２０１は、取得したＴＲｍａｘが予め定めた第１上限温度を超えているか否かを判定する（ステップＳ１０４）。ＴＲｍａｘが第１上限温度以下の場合（ステップＳ１０４；ＮＯ）、モード切替判定部２０１は、この周期での空調機制御処理を終了する。一方、ＴＲｍａｘが第１上限温度を超えている場合（ステップＳ１０４；ＹＥＳ）、モード切替判定部２０１は、暖房モードから送風モードに切り替える必要があると判定する。
【００６９】
モード切替部２０２は、モード切替判定部２０１により送風モードへの切り替えが必要であると判定されると、室内ユニット６０に送風モードへの切り替えを要求する（ステップＳ１０５）。詳細には、モード切替部２０２は、室内ユニット６０に対して、次の運転モードである送風モードを示す情報が格納されたモード切替要求通知を送信する。
【００７０】
送風量調整部２０３は、各部屋の室温を上述した第１〜第３グループに分類する（ステップＳ１０６）。送風量調整部２０３は、室温が属するグループに応じて当該部屋の送風量を決定する（ステップＳ１０７）。詳細には、送風量調整部２０３は、第１グループと第２グループに属する室温に対応する部屋の送風量を“大”に決定し、第３グループに属する室温に対応する部屋の送風量を“小”に決定する。
【００７１】
送風量調整部２０３は、決定した各部屋の送風量を室内ユニット６０に通知する（ステップＳ１０８）。詳細には、送風量調整部２０３は、決定した各部屋の送風量が格納されたデータを室内ユニット６０に送信する。ステップＳ１０８の後、送風量調整部２０３は、この周期での空調機制御処理を終了する。
【００７２】
現在の運転モードが暖房モードでない場合（ステップＳ１０１；ＮＯ）、モード切替判定部２０１は、部屋Ａ〜Ｅの各室温の内の最も低い室温（ＴＲｍｉｎ）を取得する（ステップＳ１０９）。モード切替判定部２０１は、取得したＴＲｍｉｎが予め定めた第１下限温度より低いか否かを判定する（ステップＳ１１０）。ＴＲｍｉｎが第１下限温度以上の場合（ステップＳ１１０；ＮＯ）、モード切替判定部２０１は、この周期での空調機制御処理を終了する。一方、ＴＲｍｉｎが第１下限温度より低い場合（ステップＳ１１０；ＹＥＳ）、モード切替判定部２０１は、送風モードから暖房モードに切り替える必要があると判定する。
【００７３】
モード切替部２０２は、モード切替判定部２０１により暖房モードへの切り替えが必要であると判定されると、室内ユニット６０に暖房モードへの切り替えを要求する（ステップＳ１１１）。詳細には、モード切替部２０２は、室内ユニット６０に対して、次の運転モードである暖房モードを示す情報が格納されたモード切替要求通知を送信する。
【００７４】
送風量調整部２０３は、各部屋の送風量を、当該部屋の以前の送風量、即ち、直前の暖房モードでの当該部屋の送風量と同一になるように決定する（ステップＳ１１２）。そして、送風量調整部２０３は、決定した各部屋の送風量を室内ユニット６０に通知する（ステップＳ１１３）。ステップＳ１１３の後、送風量調整部２０３は、この周期での空調機制御処理を終了する。
【００７５】
以上説明したように、実施の形態１の空調システムによれば、制御装置２は、暖房モードでの運転時において、日射の影響が想定され、且つ、最も高い室温が第１上限温度を超えている場合、空調機６の運転モードを暖房モードから送風モードに切り替える。さらに、その際、制御装置２は、室温が最も高い部屋及び最も低い部屋の送風量を“大”にし、他の部屋の送風量を“小”にするように空調機６を制御する。
【００７６】
これにより、日射の影響による室温の上昇を効果的に抑制し、各部屋の室温を効率的に平準化することが可能となる。
【００７７】
なお、制御装置２は、ＴＲｍａｘ、ＴＲｍｉｎを、全ての部屋の室温の内から取得するのではなく、予めユーザが選択した一部の部屋の室温の内から取得してもよい。ユーザは、操作端末３を介して、モード切替要否の判定対象となる部屋（例えば、玄関を除く部屋Ａ〜Ｄ等）を選択することができる。
【００７８】
ユーザによる上記の選択に代えて、又は、併用して、制御装置２は、ユーザが在室する部屋のみをモード切替要否の判定対象としてもよい。制御装置２は、ユーザの在室有無を、例えば、各部屋に設置した人感センサの検出結果により判定してもよいし、ユーザが操作端末３を介して入力した在宅、不在に関する情報、又は、ユーザが操作端末３を介して予め登録した在宅、不在に関するスケジュールに基づいて判定してもよい。あるいは、制御装置２は、空調リモコン６４に対するユーザ操作の有無、日射遮蔽装置７、照明器８、その他の電気機器の動作状態の変化等により、ユーザの在室有無を判定してもよい。
【００７９】
また、モード切替判定部２０１は、取得したＴＲｍａｘが第１上限温度を超えている場合であっても、以下の条件１〜６の何れかを満たす場合には、暖房モードから送風モードに切り替える必要がないと判定してもよい。
【００８０】
条件１：現在の空調機６の消費電力×係数が、送風モードにおける空調機６の推定消費電力より小さく、且つ、ユーザが不在（即ち、在宅者が居ない状態）である。
【００８１】
条件２：現在の空調機６の消費電力×係数が、送風モードにおける空調機６の推定消費電力より小さく、且つ、ユーザが予め選択した部屋に在室者が居ない。
【００８２】
条件３：ＴＲｍｉｎ＋αが、当該部屋の目標温度より高い、且つ、ユーザが不在である。
αは、各空調リモコン６４の温度センサ６４０により計測された温度の平均と、室内ユニット６０の温度センサ６０２により計測された温度との温度差によって定まる調整値である。
【００８３】
条件４：ＴＲｍｉｎ＋αが、当該部屋の目標温度より高い、且つ、ユーザが予め選択した部屋に在室者が居ない。
【００８４】
条件５：ＴＲｍａｘとＴＲｍｉｎの温度差が、予め定めた値（Ｔｘ）以下であり、且つ、ユーザが不在である。
Ｔｘは、例えば、２℃である。
【００８５】
条件６：ＴＲｍａｘとＴＲｍｉｎの温度差が、予め定めた値（Ｔｘ）以下であり、且つ、ユーザが予め選択した部屋に在室者が居ない。
【００８６】
実施の形態２．
続いて、本発明の実施の形態２に係る空調システムについて説明する。なお、以下の説明において、実施の形態１と共通する構成要素等については、同一の符号を付し、その説明を省略する。
【００８７】
実施の形態２の空調システムでは、制御装置２は、実施の形態１における空調機６の制御に加え、さらに、日射遮蔽装置７ａ〜７ｄを制御して、各部屋の空調を行う。このため、実施の形態２の空調システムは、実施の形態１の空調システムの構成に加え、さらに、日射遮蔽装置７ａ〜７ｄを備える。
【００８８】
図９は、実施の形態２の制御装置２の機能構成を示す図である。本実施の形態の制御装置２は、データ取得部２００と、モード切替判定部２０１と、モード切替部２０２と、送風量調整部２０３と、日射遮蔽要否判定部２０４と、日射遮蔽指示部２０５とを備える。
【００８９】
日射遮蔽要否判定部２０４は、日射遮蔽装置７ａ〜７ｄの何れかに対し、日射遮蔽の制御が必要であるか否かを判定する。本実施の形態の制御装置２は、実施の形態１の制御装置２と同様、暖房使用時期（例えば、冬期又は中間期）における毎日の予め定めた時間帯（例えば、６時〜１８時）に周期的に（例えば、１０分毎に）空調機制御処理（図８参照）を実行する。さらに、本実施の形態の制御装置２は、この空調機制御処理の直後に、日射遮蔽装置７ａ〜７ｄを制御する処理（以下、日射遮蔽制御処理という。）を実行する。
【００９０】
この日射遮蔽制御処理は、予め定めた制御スケジュールに従って日射遮蔽装置７ａ〜７ｄを制御する処理（以下、スケジュール制御処理という。）とは異なる処理である。制御装置２は、日射遮蔽装置７ａ〜７ｄの制御について、スケジュール制御処理よりも日射遮蔽制御処理を優先する。即ち、日射遮蔽制御処理で決定した制御内容と、スケジュール制御処理における制御内容とが異なる場合、制御装置２は、日射遮蔽制御処理で決定した制御内容に従って当該日射遮蔽装置７を制御する。なお、日射遮蔽制御処理とスケジュール制御処理の何れも優先するかを、ユーザが操作端末３を介して予め指定できるようにしてもよい。
【００９１】
日射遮蔽要否判定部２０４によって実行される処理は、上記の日射遮蔽制御処理に包含される。詳細には、先ず、日射遮蔽要否判定部２０４は、二次記憶装置２４に保存されている最新の空調状態データを読み出し、部屋Ａ〜Ｄの各室温の内の最も高い室温（ＴＲｍａｘ）を取得する。日射遮蔽要否判定部２０４は、取得したＴＲｍａｘと予め定めた第２上限温度とを比較し、ＴＲｍａｘが第２上限温度を超えているか否かを判定する。第２上限温度は、第１上限温度より高い温度である。
【００９２】
ＴＲｍａｘが第２上限温度を超えている場合、日射遮蔽要否判定部２０４は、室温がＴＲｍａｘである部屋の日射遮蔽装置７に対し、日射遮蔽の制御が必要であると判定する。ただし、日射遮蔽要否判定部２０４は、当日の発電設備５による現時刻までの発電量の積算値が、時刻毎（例えば、１０分刻みの時刻毎）に予め定めた規定値未満の場合には、日射が部屋Ａ〜Ｄに与える影響が少ないとみなし、日射遮蔽の制御が必要でないと判定する。
【００９３】
一方、ＴＲｍａｘが第２上限温度以下の場合、日射遮蔽要否判定部２０４は、日射遮蔽フラグがＯＮであるか否かを判定する。日射遮蔽フラグとは、ＲＡＭ２３に記憶され、日射遮蔽制御処理において、日射遮蔽装置７に対し、日射遮蔽の制御が行われた場合にＯＮとなり、日射遮蔽の制御が解除された場合にＯＦＦとなるフラグである。日射遮蔽フラグの初期値はＯＦＦである。日射遮蔽フラグがＯＮの場合、日射遮蔽要否判定部２０４は、ＴＲｍａｘが第２下限温度より低いか否かを判定する。第２下限温度は、第１上限温度より高く、第２上限温度より低い温度である。ＴＲｍａｘが第２下限温度より低い場合、日射遮蔽要否判定部２０４は、室温がＴＲｍａｘである部屋の日射遮蔽装置７について、日射遮蔽の制御の解除が必要であると判定する。
【００９４】
日射遮蔽指示部２０５は、本発明に係る日射遮蔽指示手段の一例である。日射遮蔽指示部２０５は、日射遮蔽要否判定部２０４によって、日射遮蔽装置７に対する日射遮蔽の制御が必要であると判定されると、当該日射遮蔽装置７、即ち、室温がＴＲｍａｘである部屋の日射遮蔽装置７に対して日射遮蔽を指示する。詳細には、日射遮蔽指示部２０５は、当該の日射遮蔽装置７に対して、ルーバ角度を現状から“−１０°”変更することを指示する。なお、当該日射遮蔽装置７のブラインドが収納された状態（即ち、ブラインド全開）となっている場合は、日射遮蔽指示部２０５は、当該日射遮蔽装置７に対して、ブラインドを下ろし、且つ、ルーバ角度を９０°に設定するように指示する。また、日射遮蔽装置７のルーバ角度が０°（即ち、ブラインド全閉）の場合は、日射遮蔽指示部２０５は、当該日射遮蔽装置７に対して日射遮蔽を指示を出さず、現状のままにする。
【００９５】
日射遮蔽指示部２０５は、日射遮蔽要否判定部２０４によって、日射遮蔽装置７に対する日射遮蔽の制御の解除が必要であると判定されると、当該日射遮蔽装置７に対する日射遮蔽の制御を解除する。詳細には、日射遮蔽指示部２０５は、当該日射遮蔽装置７のルーバ角度を、日射遮蔽の制御を行う前の元の状態、即ち、日射遮蔽フラグがＯＦＦであったときのルーバ角度に戻す。元の状態がブラインド全開の場合には、日射遮蔽指示部２０５は、当該日射遮蔽装置７に対して、ブラインドの収納を指示する。
【００９６】
図１０は、本実施の形態の制御装置２により実行される日射遮蔽制御処理の手順を示すフローチャートである。上述したように、制御装置２は、空調機制御処理の直後に日射遮蔽制御処理を実行する。
【００９７】
日射遮蔽要否判定部２０４は、部屋Ａ〜Ｄの各室温の内の最も高い室温（ＴＲｍａｘ）を取得する（ステップＳ２０１）。次いで日射遮蔽要否判定部２０４は、当日の発電設備５による現時刻までの発電量の積算値が、現時刻に対応する予め定めた規定値以上であるか否かを判定する（ステップＳ２０２）。
【００９８】
現時刻までの発電量の積算値が規定値未満の場合（ステップＳ２０２；ＮＯ）、ステップＳ２０７に移行する。一方、現時刻までの発電量の積算値が規定値以上の場合（ステップＳ２０２；ＹＥＳ）、日射遮蔽要否判定部２０４は、取得したＴＲｍａｘが第２上限温度を超えているか否かを判定する（ステップＳ２０３）。ＴＲｍａｘが第２上限温度以下の場合（ステップＳ２０３；ＮＯ）、ステップＳ２０７に移行する。
【００９９】
一方、ＴＲｍａｘが第２上限温度を超えている場合（ステップＳ２０３；ＹＥＳ）、日射遮蔽要否判定部２０４は、室温がＴＲｍａｘの部屋の日射遮蔽装置７に対して、日射遮蔽の制御が必要であると判定する。この場合、日射遮蔽指示部２０５は、上述したようにして、当該日射遮蔽装置７に対して日射遮蔽を指示する（ステップＳ２０４）。ステップＳ２０４の後、日射遮蔽指示部２０５は、日射遮蔽フラグがＯＦＦであるか否かを判定する（ステップＳ２０５）。
【０１００】
日射遮蔽フラグがＯＦＦでない、即ち、ＯＮである場合（ステップＳ２０５；ＮＯ）、日射遮蔽指示部２０５は、この周期での日射遮蔽制御処理を終了する。一方、日射遮蔽フラグがＯＦＦである場合（ステップＳ２０５；ＹＥＳ）、日射遮蔽指示部２０５は、日射遮蔽フラグをＯＮにして（ステップＳ２０６）、この周期での日射遮蔽制御処理を終了する。
【０１０１】
ステップＳ２０７で、日射遮蔽要否判定部２０４は、日射遮蔽フラグがＯＮであるか否かを判定する。日射遮蔽フラグがＯＮでない、即ち、ＯＦＦである場合（ステップＳ２０７；ＮＯ）、日射遮蔽要否判定部２０４は、この周期での日射遮蔽制御処理を終了する。
【０１０２】
一方、日射遮蔽フラグがＯＮである場合（ステップＳ２０７；ＹＥＳ）、日射遮蔽要否判定部２０４は、ＴＲｍａｘが第２下限温度より低いか否かを判定する（ステップＳ２０８）。ＴＲｍａｘが第２下限温度以上の場合（ステップＳ２０８；ＮＯ）、日射遮蔽要否判定部２０４は、この周期での日射遮蔽制御処理を終了する。
【０１０３】
一方、ＴＲｍａｘが第２下限温度より低い場合（ステップＳ２０８；ＹＥＳ）、日射遮蔽要否判定部２０４は、室温がＴＲｍａｘの部屋の日射遮蔽装置７について、日射遮蔽の制御の解除が必要であると判定する。この場合、日射遮蔽指示部２０５は、上述したようにして、当該日射遮蔽装置７に対する日射遮蔽の制御を解除する（ステップＳ２０９）。そして、日射遮蔽指示部２０５は、日射遮蔽フラグをＯＦＦにして（ステップＳ２１０）、この周期での日射遮蔽制御処理を終了する。
【０１０４】
図１１は、本実施の形態の制御装置２によって実行される空調機制御処理及び日射遮蔽制御処理の効果を説明するための図である。図１１において、空調機制御処理及び日射遮蔽制御処理が実行された際の室温の推移が破線で示されている。このように、本実施の形態の制御装置２によって空調機制御処理及び日射遮蔽制御処理が実行されることで、日射の影響による室温の上昇を抑えることができる。
【０１０５】
以上説明したように、実施の形態２の空調システムによれば、制御装置２は、実施の形態１と同様の空調機制御処理（図８参照）を実行する。さらに、本実施の形態の制御装置２は、送風モードにしてもＴＲｍａｘが上昇して、第２上限温度を超えると、当該部屋の日射遮蔽装置７に対して日射遮蔽を指示する日射遮蔽制御処理（図１０参照）を実行する。
【０１０６】
これにより、ＴＲｍａｘの上昇をより効果的に抑制でき、結果として、各部屋の室温をより効率的に平準化することが可能となる。
【０１０７】
なお、制御装置２は、図１０の日射遮蔽制御処理において、部屋Ａ〜Ｄの内の予めユーザが選択した一部の部屋の室温の内からＴＲｍａｘを取得してもよい。ユーザは、操作端末３を介して、日射遮蔽装置７の制御対象となる部屋を選択することができる。
【０１０８】
ユーザによる上記の選択に代えて、又は、併用して、制御装置２は、ユーザが在室する部屋のみを日射遮蔽装置７の制御対象としてもよい。制御装置２は、ユーザの在室有無を、例えば、各部屋に設置した人感センサの検出結果により判定してもよいし、ユーザが操作端末３を介して入力した在宅、不在に関する情報、又は、ユーザが操作端末３を介して予め登録した在宅、不在に関するスケジュールに基づいて判定してもよい。あるいは、制御装置２は、空調リモコン６４に対するユーザ操作の有無、日射遮蔽装置７、照明器８、その他の電気機器の動作状態の変化等により、ユーザの在室有無を判定してもよい。
【０１０９】
また、日射遮蔽指示部２０５は、日射遮蔽装置７に対して日射遮蔽を指示する際、ルーバ角度を複数段階（例えば、“−２０°”、“−３０°”等）ずつ変更するように指示してもよい。１回の指示で日射遮蔽装置７のルーバ角度をどの程度変更させるかは任意の設計事項である。
【０１１０】
また、日射遮蔽指示部２０５は、部屋Ａ〜Ｄの内、室温が第２上限温度を超える全ての部屋の日射遮蔽装置７に対して、日射遮蔽を指示してもよい。
【０１１１】
また、日射遮蔽指示部２０５は、日射遮蔽の制御を解除する際、当該日射遮蔽装置７に対応する制御スケジュールで示される現時刻の制御内容に基づいて、当該日射遮蔽装置７のルーバ角度を決定してもよい。
【０１１２】
実施の形態３．
続いて、本発明の実施の形態３に係る空調システムについて説明する。なお、以下の説明において、実施の形態１，２と共通する構成要素等については、同一の符号を付し、その説明を省略する。
【０１１３】
図１２は、実施の形態３に係る空調システムを包含したエネルギー管理システム１Ａの全体構成を示す図である。エネルギー管理システム１Ａは、制御装置２と、操作端末３と、電力計測装置４と、発電設備５と、空調機６と、日射遮蔽装置７ａ〜７ｄと、照明器８ａ〜８ｅと、ルータ１１と、クラウドサーバ１２と、携帯端末１３とを備える。実施の形態３に係る空調システムは、制御装置２と、操作端末３と、電力計測装置４と、空調機６と、日射遮蔽装置７ａ〜７ｄと、ルータ１１と、クラウドサーバ１２と、携帯端末１３とにより構成される。
【０１１４】
ルータ１１は、ブロードバンドルータであり、制御装置２と有線又は無線にて接続される。実施の形態３の制御装置２は、ルータ１１を介して、インターネットに接続される他の装置（例えば、クラウドサーバ１２）と通信することができる。
【０１１５】
クラウドサーバ１２は、制御装置２のメーカ又は販売会社によって設置され、運用されるサーバコンピュータであり、一般的なＷｅｂサーバとしての機能を有し、インターネットに接続される。クラウドサーバ１２は、図１３に示すように、通信インタフェース１２０と、プロセッサ１２１と、ＲＯＭ１２２と、ＲＡＭ１２３と、二次記憶装置１２４とを備える。これらの構成部は、バス１２５を介して相互に接続される。
【０１１６】
通信インタフェース１２０は、インターネットに接続して、制御装置２、携帯端末１３等の他の装置と通信するためのインタフェースである。プロセッサ１２１は、クラウドサーバ１２を統括的に制御する。プロセッサ１２１の性能は、制御装置２のプロセッサ２１より高い。
【０１１７】
ＲＯＭ１２２は、複数のファームウェアとこれらのファームウェアの実行時に使用されるデータを記憶する。ＲＡＭ１２３は、プロセッサ１２１の作業領域として使用される。
【０１１８】
二次記憶装置１２４は、ＥＥＰＲＯＭ、フラッシュメモリ等の読み書き可能な不揮発性の半導体メモリ、ＨＤＤ等で構成される大容量の記憶装置である。二次記憶装置１２４には、顧客、即ち、制御装置２を購入した各ユーザに対して、電力管理サービスを提供するためのプログラムと、その他の各種のプログラムと、これらのプログラムの実行時に使用されるデータが記憶される。電力管理サービスには、顧客宅の空調を支援するサービス（以下、空調支援サービス）も含まれる。
【０１１９】
上記の空調支援サービスを提供するため、クラウドサーバ１２は、予め登録された各顧客が所有する携帯端末１３とインタ−ネットを介して通信し、携帯端末１３から位置情報を取得する。携帯端末１３は、スマートフォン、タブレット端末等のスマートデバイスである。携帯端末１３は、ＧＰＳ（Global Positioning System）衛星からのＧＰＳ信号を受信し、受信したＧＰＳ信号に基づいて、緯度、経度情報を含む位置情報を生成するＧＰＳ信号受信部（図示せず）を備える。
【０１２０】
空調支援サービスを受けるため、各顧客は、日常生活において多用する場所に関する情報（以下、場所情報という。）をクラウドサーバ１２に予め登録しておく。場所情報には、場所の名称（例えば、“会社”、“学校”等）、当該場所の位置情報、当該場所から家屋Ｈまでの移動所要時間等が含まれる。なお、場所情報には、当該顧客宅（即ち、家屋Ｈ）における各部屋（例えば、リビングルーム、寝室等）に関する情報が含まれていてもよい。その場合、当該場所から家屋Ｈまでの移動所要時間は“０時間”となる。
【０１２１】
クラウドサーバ１２は、携帯端末１３からの位置情報に基づいて、ユーザが在宅中であるか否かを判定し、在宅中の場合は、どの部屋に居るかを判定する。また、在宅中でない、即ち、外出中の場合は、位置情報と場所情報とから家屋Ｈまでの移動所要時間を取得する。クラウドサーバ１２は、ユーザが在宅中の場合は、ユーザが居る部屋を示す情報を、当該ユーザ宅の制御装置２に送信する。これにより、例えば、制御装置２は、人が居ない部屋の日射遮蔽装置７に対しては、日射遮蔽の制御を行わないようにすることができる。
【０１２２】
また、クラウドサーバ１２は、ユーザが外出中の場合は、家屋Ｈまでの移動所要時間を示す情報を、当該ユーザ宅の制御装置２に送信する。これにより、ユーザが外出中であっても、移動所要時間が短い場合では、暖房モードから送風モードの切り替え制御と、日射遮蔽の制御を行うことができ、帰宅したユーザの快適性を損なわずに済む。
【０１２３】
また、制御装置２は、暖房モードから送風モードの切り替え条件が成立した場合、クラウドサーバ１２を介して、携帯端末１３に、早めに帰宅するか否かを問い合わせる通知を送信してもよい。この場合、かかる通知に対して、携帯端末１３から、早めに帰宅しないことを示す応答がクラウドサーバ１２を介して返ってきた場合、制御装置２は、送風モードの切り替えをキャンセルしてもよい。
【０１２４】
なお、本発明は、上記の各実施の形態に限定されず、本発明の要旨を逸脱しない範囲での種々の変更は勿論可能である。
【０１２５】
例えば、制御装置２が、ユーザからの操作を受け付けるための入力デバイスと、ユーザに情報を提示するための表示デバイスの少なくとも何れかをさらに含んで構成されるようにしてもよい。
【０１２６】
また、エネルギー管理システム１，１Ａにおいて、制御装置２の制御対象機器として、床暖房システム、床冷暖房システム、冷蔵庫、ＩＨ（Induction Heating）調理器、テレビ、給湯機等の様々な電気機器が含まれていてもよい。
【０１２７】
また、制御装置２は、空調機６の運転モードを送風モードに切り替える際に、室内ユニット６０による送風量を以下の（１）又は（２）のようにして決定してもよい。
（１）定数×室温差
（２）変数×予め定めた風量
【０１２８】
上記において、室温差は、以下の（ａ）〜（ｃ）のようにして決定してもよい。
（ａ）ＴＲｍａｘ−ＴＲｍｉｎ
（ｂ）第１グループに属する室温の平均値−第２グループに属する室温の平均値
（ｃ）予め指定した２部屋の室温差
【０１２９】
上記（２）の変数の値は、図１４に示すように、室温差に応じて決定してもよい。
【０１３０】
また、制御装置２は、室内ユニット６０を介さずに各空調リモコン６４と通信して、各部屋の室温及び送風量を取得してもよい。また、制御装置２は、室内ユニット６０を介さずに各ＶＡＶ６３と通信して、各部屋の送風量を調整してもよい。
【０１３１】
また、空調リモコン６４、照明リモコン、ブラインドリモコンに代えて、これらを統合したルームリモコンが各部屋に設定されてもよい。
【０１３２】
また、空調機６が、制御装置２と同等の機能部（図７，図９参照）を有するようにしてもよい。
【０１３３】
また、制御装置２の機能部（図７，図９参照）の全部又は一部が、クラウドサーバ１２により実現されてもよい。
【０１３４】
上記の各実施の形態では、プロセッサ２１によって二次記憶装置２４に記憶されている空調プログラムが実行されることで、制御装置２の機能部（図７，図９参照）が実現された。しかし、制御装置２の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせである。
【０１３５】
上記の各実施の形態において、空調プログラムは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布した空調プログラムを特定の又は汎用のコンピュータにインストールすることによって、当該コンピュータを上記の各実施の形態における制御装置２として機能させることも可能である。
【０１３６】
また、空調プログラムをインターネット上の図示しないサーバが有する記憶装置に格納しておき、当該サーバから制御装置２に空調プログラムがダウンロードされるようにしてもよい。
【０１３７】
本発明は、広義の精神と範囲を逸脱することなく、様々な実施の形態及び変形が可能である。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【０１３８】
１，１Ａ  エネルギー管理システム、２  制御装置、３  操作端末、４  電力計測装置、５  発電設備、６  空調機、７ａ〜７ｄ  日射遮蔽装置、８ａ〜８ｅ  照明器、９  商用電力系統、１０  分電盤、１１  ルータ、１２  クラウドサーバ、１３  携帯端末、２０，１２０，６４３  通信インタフェース、２１，１２１，６４４  プロセッサ、２２，１２２，６４５  ＲＯＭ、２３，１２３，６４６  ＲＡＭ、２４，１２４，６４７  二次記憶装置、２５，１２５，６４８  バス、５０  ＰＶパネル、５１  ＰＶ−ＰＣＳ、６０  室内ユニット、６１  室外ユニット、６２  ダクト、６３ａ〜６３ｅ  ＶＡＶ、６４ａ〜６４ｅ  空調リモコン、６５，６０４，６０５，６１２  通信線、６６  冷媒配管、２００  データ取得部、２０１  モード切替判定部、２０２  モード切替部、２０３  送風量調整部、２０４  日射遮蔽要否判定部、２０５  日射遮蔽指示部、６００  ファン、６０１  熱交換器、６０２，６４０  温度センサ、６０３，６１１  制御基板、６１０  冷媒回路、６４１  ディスプレイ、６４２  操作受付部
【図１】
2019196885.tif 000003
【図２】
2019196885.tif 000004
【図３】
2019196885.tif 000005
【図４】
2019196885.tif 000006
【図５】
2019196885.tif 000007
【図６】
2019196885.tif 000008
【図７】
2019196885.tif 000009
【図８】
2019196885.tif 000010
【図９】
2019196885.tif 000011
【図１０】
2019196885.tif 000012
【図１１】
2019196885.tif 000013
【図１２】
2019196885.tif 000014
【図１３】
2019196885.tif 000015
【図１４】
2019196885.tif 000016